(57)【特許請求の範囲】
【請求項１】
ロール状物品の軸芯の両端部を支持する軸受台を備えたコンテナ本体と、前記コンテナ本体に着脱自在に装着され、前記ロール状物品及び前記軸受台を収納するコンテナカバーと、を有するロール状物品用コンテナであって、
前記軸受台は、相互に略平行に向き合い且つ前記軸芯と略直交するように配置された一対の側壁パネルを備え、一方の側壁パネルの壁面高さは他方の側壁パネルよりも高く、各側壁パネルには、前記軸芯を水平状態で位置決め支持するように成形された断面略凹形の軸受け部が設けられていることを特徴とするロール状物品用コンテナ。
【請求項２】
請求項１に記載のロール状物品用コンテナにおいて、
前記一対の側壁パネルは、前記ロール状物品を宙吊り状態にして前記軸受台に設置する際に、略水平状態にした前記軸芯の下端面を前記一方の側壁パネルの上端部よりも低く、且つ前記ロール状物品の下端面を前記他方の側壁パネルの上端部よりも高い状態にして、前記軸芯を前記一方の側壁パネルに設けられた軸受け部に対して略水平移動させることによって挿入可能となるような空間を構成することを特徴とするロール状物品用コンテナ。
【請求項３】
前記一方の側壁パネルには、前記軸芯の軸方向移動を規制するストッパ部材が設けられていることを特徴とする請求項１又は２に記載のロール状物品用コンテナ。
【請求項４】
前記コンテナカバーには、前記ロール状物品及び前記軸受台を収納した状態において、    前記軸受け部と上下一対となって対向配置され、前記軸芯を前記軸受け部との間に保持する押さえ部材が設けられていることを特徴とする請求項１から３のいずれかに記載のロール状物品用コンテナ。  
【発明の詳細な説明】
【技術分野】
【０００１】
本発明は、ロール状物品用コンテナに関し、特に、ロール状物品の軸芯の両端部を支持する軸受台を備えたロール状物品用コンテナに関する。
【背景技術】
【０００２】
近年、ロール状物品用コンテナとしては、例えば、ロール状物品の軸芯の両端部を支持する軸受台を備えたものがある（特許文献１，２参照）。かかるロール状物品用コンテナにロール状物品を収納した場合には、ロール状物品を傷つけることなく運搬し、保管することができる。そして、ロール状物品用コンテナは、ロール状物品の安定性を確保するために、軸受台に設けられる軸受け部の受径とロール状物品の軸芯の径とがほぼ同じ径となるように設計されており、さらには軸芯の両端部を支持する軸受け部間の距離と軸芯の長さとがほぼ同じ長さとなるように設計されている。
【特許文献１】特開２００２−８００８７号公報
【特許文献２】特開２００４−２６２５８号公報
【発明の開示】
【発明が解決しようとする課題】
【０００３】
しかしながら、上記のような従来のロール状物品用コンテナでは、ロール状物品を軸受台に設置する際に、軸芯が軸受け部に収まりにくく、ロール状物品が軸受台などに接触して傷つきやすい。そのため、ロール状物品を軸受台に設置する際には、ロール状物品を宙吊りにして軸受台の真上から正確に位置決めし、その上で真下の軸受台に対してゆっくりと下降させて設置していた。その結果、従来のロール状物品用コンテナでは、ロール状物品を簡易迅速に収納することができないという問題がある。
【０００４】
本発明は、上記の問題に鑑みてなされたものであり、その目的は、ロール状物品を軸受台に固定して、傷つけることなく運搬し、保管することができ、かつロール状物品を傷つけることなく、簡易迅速に収納することができるロール状物品用コンテナを提供することにある。
【課題を解決するための手段】
【０００５】
上記課題を解決するために、本発明は、ロール状物品の軸芯の両端部を支持する軸受台を備えたコンテナ本体と、前記コンテナ本体に着脱自在に装着され、前記ロール状物品及び前記軸受台を収納するコンテナカバーと、を有するロール状物品用コンテナであって、前記軸受台は、相互に略平行に向き合い且つ前記軸芯と略直交するように配置された一対の側壁パネルを備え、一方の側壁パネルの壁面高さは他方の側壁パネルよりも高く、各側壁パネルには、前記軸芯を水平状態で位置決め支持するように成形された断面略凹形の軸受け部が設けられていることを特徴とする。
【０００６】
また、前記一対の側壁パネルは、前記ロール状物品を宙吊り状態にして前記軸受台に設置する際に、略水平状態にした前記軸芯の下端面を前記一方の側壁パネルの上端部よりも低く、且つ前記ロール状物品の下端面を前記他方の側壁パネルの上端部よりも高い状態にして、前記軸芯を前記一方の側壁パネルに設けられた軸受け部に対して略水平移動させることによって挿入可能となるような空間を構成することを特徴とする。
【０００７】
また、前記一方の側壁パネルには、前記軸芯の軸方向移動を規制するストッパ部材が設けられていることを特徴とする。
【０００８】
また、前記コンテナカバーには、前記ロール状物品及び前記軸受台を収納した状態において、前記軸受け部と上下一対となって対向配置され、前記軸芯を前記軸受け部との間に保持する押さえ部材が設けられていることを特徴とする。  
【発明の効果】
【０００９】
本発明のロール状物品用コンテナを用いることにより、ロール状物品を軸受台に固定して、傷つけることなく運搬し、保管することができ、かつロール状物品を傷つけることなく、簡易迅速に収納することができる。
【発明を実施するための最良の形態】
【００１０】
以下、本発明を実施するための最良の形態について説明する。
【００１１】
＝＝＝ロール状物品用コンテナの構成＝＝＝
まず、図１〜３を参照しながら、本発明のロール状物品用コンテナの構成について説明する。図１はロール状物品用コンテナ１０を示す分解斜視図、図２はロール状物品用コンテナ１０を図１のＡ方向及びＢ方向から視た側面図、図３はロール状物品用コンテナ１０を図１のＣ方向から視た概略図であり、ロール状物品１を二点鎖線で示している。但し、図２及図３では、軸受台１１に設置された状態でのロール状物品１を示している。また、図２では、図１のコンテナカバー１０２の図示を省略している。
【００１２】
図１〜３に示すように、ロール状物品用コンテナ１０は、軸受台１１及びパレット１２を備えたコンテナ本体１０１と、このコンテナ本体１０１に着脱自在に装着され、ロール状物品１及び軸受台１１を収納するコンテナカバー１０２とを有する。パレット１２は、ロール状物品用コンテナ１０を吊り下げ移動可能とするために設けられ、軸受台１１の下面に一体的に取り付けられている。但し、本発明の構成は、パレット１２を設けた形態に限定されるものではなく、パレット１２を設けていない形態であってもよい。
【００１３】
軸受台１１は、ロール状物品１の軸芯２の両端部２ａ，２ｂを支持するための軸受台であり、一対の第１側壁パネル１１１ａ，１１１ｂと、一対の第２側壁パネル１１２ａ，１１２ｂと、を備えている。第１側壁パネル１１１ａ，１１１ｂは、同一の側壁パネルで構成され、相互に略平行に向き合い且つ軸芯２と略平行となるように配置され、他方、第２側壁パネル１１２ａ，１１２ｂは、第１側壁パネル１１１ａ，１１１ｂの両側端部に連結され、相互に略平行に向き合い且つ軸芯２と略直交するように配置されている。但し、第１側壁パネル１１１ａ，１１１ｂは、本発明に係る側壁パネル、すなわち第２側壁パネル１１２ａ，１１２ｂを安定化するためのものであり、他の部材で代替してもよい。
【００１４】
第２側壁パネル１１２ａ，１１２ｂは、壁面高さが相互に異なり、第２側壁パネル１１２ａの壁面高さ（Ｈａ）は、第２側壁パネル１１２ｂの壁面高さ（Ｈｂ）よりも高い（Ｈａ＞Ｈｂ）。また、第２側壁パネル１１２ａ，１１２ｂの各壁面には、それぞれ断面略凹形の軸受け部１３ａ，１３ｂが設けられ、軸受け部１３ａの深さ（ｈａ）と、軸受け部１３ｂの深さ（ｈｂ）とは相互に異なる。より具体的に説明すると、第２側壁パネル１１２ａの壁面には、軸芯２の直径（２ｒ）と同じ深さの断面略Ｕ字形の軸受け部１３ａが設けられ（ｈａ＝２ｒ）、他方、第２側壁パネル１１２ｂの壁面には、少なくとも軸芯２の半径（ｒ）よりも浅い断面略円弧状の軸受け部１３ｂが設けられている（ｈｂ＜ｒ）。
【００１５】
但し、軸受け部１３ａ，１３ｂの深さは、上記の場合に限定されるものではなく、例えば、軸芯の半径（ｒ）以上かつ直径（２ｒ）以下の範囲内（ｒ≦ｈａ≦２ｒ）で適宜設計することとしてもよい。また、軸受け部１３ａ，１３ｂは、軸芯２の両端部２ａ，２ｂを水平状態で支持するように設計されており、例えば、軸芯２の下端面に当接するとともに、その最深部が同じ高さとなるように設計されている（Ｈａ−ｈａ＝Ｈｂ−ｈｂ）。なお、軸芯２の下端面は、第１側壁パネル１１１ａ，１１１ｂの上端部よりも高い位置にある。
【００１６】
また、第２側壁パネル１１２ａ，１１２ｂの壁面高さの差（Ｈａ−Ｈｂ）は、軸芯２の直径とほぼ同じであり、具体的には、軸芯の直径（２ｒ）から軸受け部１３ｂの深さ（ｈｂ）の差し引いたものと等しい関係にある（Ｈａ−Ｈｂ＝２ｒ−ｈｂ）。そして、これらの第２側壁パネル１１２ａ，１１２ｂは、ロール状物品１を宙吊り状態にして軸受台１１に設置する際に、略水平状態にした軸芯２の下端面を側壁パネル１１２ａの上端部よりも低く、且つロール状物品１の下端面を側壁パネル１１２ｂの上端部よりも高い状態にして、軸芯２軸受け部１３ａに対して略水平移動させることによって挿入可能となるような空間を構成している。
【００１７】
但し、第２側壁パネル１１２ａ，１１２ｂの壁面高さの差（Ｈａ−Ｈｂ）は、上記の場合に限定されるものではなく、例えば、軸芯２の半径（ｒ）以上かつ直径（２ｒ）以下の範囲内（ｒ≦Ｈａ−Ｈｂ≦２ｒ）で適宜設計することとしてもよい。また、ロール状物品１（最外半径：Ｒ）を設置する際に、前述のような状態にするには、例えば、ロール状物品１の巻径（Ｒ−ｒ）を第２側壁パネル１１２ａ，１１２ｂの壁面高さの差（Ｈａ−Ｈｂ）よりも小さくしておくことが好ましい（Ｒ−ｒ＜Ｈａ−Ｈｂ）。
【００１８】
ところで、軸受け部１３ａ，１３ｂの形状は、同図に示す形状に限定されるものではなく、例えば、断面略Ｖ字状や断面略半円状のような形状であってもよい。軸受け部１３ａは、その開口部付近が上方に向けて次第に開口する形状に加工されており、軸芯２を挿入しやすい構造に設計されている。なお、軸受け部１３ｂの深さｈｂは、例えば、ｒ−（Ｗｆ／２）≦ｈｂ≦ｒ（Ｗ：ロール状物品の重量，ｆ：軸受け部１３ｂの凹部長さの半分）の範囲内とすることが好ましい。この場合には、軸受け部１３ｂに設置した軸芯２を軸芯方向と直交する方向に手で押したとしても動いてしまうことはなく（手で押す力：Ｆ≒２ｋｇ）、収納したロール状物品１をより安定な状態で支持することができる。
【００１９】
また、第２側壁パネル１１２ａの外壁面には、軸芯２の一端２ａを軸受け部１３ａに挿入する際に、軸芯２の一端２ａを位置決めするとともに、挿入した軸芯２ａの軸方向移動を規制するためのストッパ部材１４が設けられている。このストッパ部材１４は、軸受け部１３ａの断面形状に対応させて断面略Ｕ字形としており、その内側のＵ字は軸受け部１３ａのＵ字よりも一回り小さい。但し、ストッパ部材１４の構成は、特に限定されるものではなく、軸芯２を軸受け部１３ａに挿入する際に、軸芯２の一端２ａを位置決めするとともに、挿入した軸芯２ａの軸方向移動を規制するような構成であればよい。
【００２０】
一方、コンテナカバー１０２の天井面を構成する内壁面には、押さえ部材２１ａ，２１ｂが設けられており、ロール状物品１及び軸受台１１を収納した状態において、軸受け部１３ａ，１３ｂとそれぞれ上下一対となって対向配置される。押さえ部材２１ａ，２１ｂは、それぞれ軸受け部１３ａ，１３ｂとの間で軸芯２の両端部２ａ，２ｂを上下挟み込むようにして保持し、ロール状物品１の上下方向の動きを規制する。より具体的に説明すると、押さえ部材２１ａは板状部材で構成され、その下端面の中央が軸芯２の一端２ａの最上部と当接するとともに、その両端が側壁パネル１１２ａの上端面と接触する。他方、押さえ部材２１ｂは、軸受け部１３ａ，１３ｂとは逆向きの断面逆Ｕ字形の軸受け部２３が設けられた側壁パネルで構成され、軸芯２の他端２ｂのうち、軸受け部１３ｂと当接していない領域と当接している。但し、押さえ部材２１ａ，２１ｂの形状は、上記の形状に限定されるものではない。
【００２１】
さらに、押さえ部材２１ｂの外壁面には、軸芯２の軸方向移動を規制するストッパ部材２４が設けられている。そのため、軸芯２の両端外側には、ロール状物品１及び軸受台１１を収納した状態において、ストッパ部材１４，２４が配置され、ロール状物品１の軸方向移動を両側から規制する。従って、ロール状物品１は、長手方向に対しても安定な状態で支持されることとなる。よって、ロール状物品用コンテナ１０を用いて輸送する際に、ロール状物品１は軸受台１１から落下してしまうことはなく、また、コンテナカバー１０２の内壁面に接触することもないので、ロール状物品１は傷つきにくい。そのため、緩衝材が不要となる。なお、ストッパ部材２４の構成は、特に限定されるものではなく、軸受け部２３の内側に突出して軸芯２の軸方向移動を規制するようなものであればよい。
【００２２】
そして、ロール状物品１を軸受台１１に設置した後に、その上方からコンテナカバー１０２を被せるだけで収納作業が完了するため、ロール状物品１を簡易迅速に収納することができる。また、収納したロール状物品１を簡易迅速に取り出すこともできる。
【００２３】
なお、押さえ部材２１ａ，２１ｂは、必ずしもコンテナカバー１０２と一体化している必要はなく、着脱自在であってもよい。その場合、例えば、ロール状物品を軸受台１１に設置後、コンテナカバー１０２から着脱した状態の押さえ部材２１ａ，２１ｂを軸受台１１に設置し、その後、コンテナカバー１０２を被せるなどの方法を採ることができる。
【００２４】
＝＝＝ロール状物品の設置方法＝＝＝
次に、図４及び図５を参照しながら、ロール状物品１を宙吊り状態にして軸受台１１に設置する方法について説明する。図４は軸芯２を水平方向から軸受部１３ａに挿入する様子を示す図、図５は軸芯２を斜め方向から軸受部１３ａに挿入する様子を示す図である。
【００２５】
但し、図４及び図５に示す軸芯２及び軸受台１１は同一のものを示した。なお、図４に示す方法はロール状物品１の巻厚が細い場合（巻径が小さい場合）に適しており、他方、図５に示す方法はロール状物品１の巻厚が太い場合（巻径が大きい場合）に適している。以下、各別に説明する。
【００２６】
＜ロール状物品の巻厚が細い場合＞
図４に示すように、ロール状物品の巻厚が細い場合、例えば、前述したＲ−ｒ＜Ｈａ−Ｈｂの関係にある場合には、ロール状物品１を軸受台１１に設置するにあたり、軸芯２を水平方向から軸受部１３ａに挿入する。
【００２７】
軸芯２を水平方向から軸受部１３ａに挿入するには、所定の吊下部材４０で軸芯２を吊り上げてロール状物品１を宙吊り状態にし、軸芯２の下端面がストッパ部材１４に当接する高さまでロール状物品１を下げておく。軸芯２は水平状態にし、下端面が側壁パネル１１２ａの上端部よりも低くなるようにする。また、ロール状物品１の下端面が側壁パネル１１２ｂの上端部よりも高くなるようにする。
【００２８】
次に、軸芯２を水平方向（同図では左側方向）に移動させ、軸芯２の一端２ａを横方向から軸受部１３ａに挿入する。その際、ロール状物品１は、水平状態を維持しながら側壁パネル１１２ｂの壁面上を通過する（図４（ａ）参照）。そして、軸芯２の一端２ａをストッパ部材１４に当接させると、軸芯２の他端２ｂは軸受け部１３ｂの真上に位置し、その状態のまま軸芯２を下降させる（図４（ｂ）参照）。軸芯２を軸受部１３ａ、１３ｂの最深部まで下降すると、吊下部材４０を取り外す。軸芯２の一端２ａは軸受部１３ａに支持されるとともに、軸芯２の他端２ｂは軸受部１３ｂに支持されており、ロール状物品１は、水平状態で軸受台１１に設置される（図４（ｃ）参照）。
【００２９】
＜ロール状物品の巻厚が太い場合＞
他方、図５に示すように、ロール状物品の巻厚が太い場合、例えば、Ｒ−ｒ≧Ｈａ−Ｈｂの関係にある場合には、ロール状物品１を軸受台１１に設置するにあたり、軸芯２を斜め方向から軸受部１３ａに挿入する。
【００３０】
軸芯２を斜め方向から軸受部１３ａに挿入するには、所定の吊下部材５０で軸芯２を吊り上げてロール状物品１を宙吊り状態にし、軸芯２の一端２ａを下げ、或いは軸芯２の一端２ｂを持ち上げる。軸芯２は傾いているが、吊り下げ状態ではその傾斜角度が限られており略水平状態にある。そして、軸芯２の下端面がストッパ部材１４に当接する高さまでロール状物品１を下げ、軸芯２の下端面が側壁パネル１１２ａの上端部よりも低く、且つロール状物品１の下端面が側壁パネル１１２ｂの上端部よりも高くなるようにする。その状態において、軸芯２をストッパ部材１４に向けて斜め方向（同図では左斜め下の方向）に移動させ、軸芯２の一端２ａの上端側をストッパ部材１４の上端部に当接させる。その際、ロール状物品１は、傾斜した状態で側壁パネル１１２ｂの壁面上を通過する（図５（ａ）参照）。なお、軸芯２の一端２ａを、例えば、紙面に対して手前側にずらして軸受部１３ａに挿入してもよい。
【００３１】
次に、軸芯２の一端２ａの上端側がストッパ部材１４に当接した状態、すなわち片側持ち状態において、軸芯２の一端２ａを軸にして軸芯２の他端２ｂを軸受け部１３ｂの最深部に当接するまで下降させる。その際、軸芯２の一端２ａの下端側をストッパ部材１４に押し込むようにする（図４（ｂ）参照）。なお、図示していないが、軸芯２の他端２ｂを鉛直方向にずらして微調整し、位置決めすることも可能である。そして、軸芯２の他端２ｂが軸受け部１３ｂの最深部に当接した状態では、軸芯２の一端２ａも軸受部１３ａに支持された状態となり、図４（ｃ）の場合と同様に、ロール状物品１は、水平状態で軸受台１１に設置される（図５（ｃ）参照）。
【００３２】
その他、さらに本発明においては、ロール状物品１を軸受台１１に設置する際に、軸芯２の図２（ｂ）側の端部が軸受部１３ｂに対してずれている状態であっても、第２側壁パネル１１２ｂにロール状物品１が接触することがない。そのため、軸受台１１に設置する直前に微調整すればよいので、ロール状物品１を傷つけることなく、簡易迅速に収納することができる。
【００３３】
以上のように、本発明のロール状物品用コンテナ１０を用いることにより、ロール状物品を軸受台に固定して、傷つけることなく運搬し、保管することができ、かつロール状物品１を傷つけることなく、簡易迅速に収納することができる。なお、ロール状物品１を宙吊り状態にするには、図４及び図５に示した吊下部材を用いた形態に限定されるものではなく、例えば、軸芯２の中心軸が空洞の場合には、その空洞に所定の棒を挿入し、その両端を吊り上げるようにしてもよい。
【００３４】
ところで、上記の説明においては、１つのロール状物品用コンテナ１０には、１つのロール状物品１が収容されるものとした。しかし、同一平面上に複数の軸受台１１を設け、あるいは軸受台１１を鉛直方向に複数段設けることにより、１つのロール状物品用コンテナ１０に、複数のロール状物品１を収容することもできる。なお、ロール状物品１としては、例えば、ＰＥＴやＬＤＰＥ等の樹脂フィルムの原反、感光フィルム原反、巻取紙、金属箔やフレキシブル金属箔積層体等の金属含有薄板などのロール体があり、特に限定されるものではない。また、ロール状物品１が電子材料部材の場合には、軸受台１１やコンテナカバー１０２などはプラスチック製のものが好ましい。但し、パレット１２、固定ピン１５，１６、及び補強部材１７等は金属製であってもよい。さらに、コンテナカバー１０２を組立式とし、ロール状物品１を軸受台１１に設置した後に、コンテナカバー１０２を構成する各パーツ（例えば、側面，天井面等）を後付けすることとしてもよい。いずれの場合においても、ロール状物品１を傷つけることなく、簡易迅速に収納することができる。
【図面の簡単な説明】
【００３５】
【図１】ロール状物品用コンテナを示す分解斜視図である。
【図２】ロール状物品用コンテナを図１のＡ方向及びＢ方向から視た側面図である。
【図３】ロール状物品用コンテナを図１のＣ方向から視た説明図である。
【図４】軸芯を水平方向から軸受部に挿入する様子を示す図である。
【図５】軸芯を斜め方向から軸受部に挿入する様子を示す図である。
【符号の説明】
【００３６】
１    ロール状物品
２    軸芯
１０  ロール状物品用コンテナ
１１  軸受台
１１１ａ，１１１ｂ  第１側壁パネル
１１２ａ，１１２ｂ  第２側壁パネル
１３ａ，１３ｂ，２３  軸受け部
１４，２４  ストッパ部材
１５，１６  固定ピン
１７  補強部材
２１ａ，２１ｂ  押さえ部材
２５  把手
２６  フレーム
４０，５０  吊下部材
１０１  コンテナ本体
１０２  コンテナカバー
【図１】
0004759327.tif 000002
【図２】
0004759327.tif 000003
【図３】
0004759327.tif 000004
【図４】
0004759327.tif 000005
【図５】
0004759327.tif 000006